(57)【要約】【課題】容易に配管カバーを所定の位置に取り付けることができるキャビネットを提供する。【解決手段】一対の側板と、底板と、第１の背板と、第２の背板と、を有し、第２の背板の後方に配管スペースが設けられ、第１の背板及び第２の背板の前方に収納スペースを有するキャビネット本体と、キャビネット本体の一対の側板の間に着脱可能に取り付けられる配管カバーと、を備え、配管カバーは、本体部と、ガイド部と、を有し、ガイド部は、本体部の後端よりも後方に延びる底部と、底部の上に設けられ本体部の後端から離れた位置から本体部の上面よりも上方まで延び本体部の後端との間に溝部を設ける延設部と、を有し、第１の背板の下端は、キャビネット本体に取り付けられた配管カバーの溝部内に位置し、ガイド部は、配管カバーをキャビネット本体に取り付ける際に、延設部により、第１の背板の下端を溝部内に誘導可能であることを特徴とするキャビネット。【選択図】図３
2019126517.tif 000002
【特許請求の範囲】
【請求項１】
一対の側板と、底板と、下端が前記底板の上面よりも上方に位置する第１の背板と、前記底板の上面に設けられ前記第１の背板よりも前方に位置する第２の背板と、を有し、前記第２の背板の後方に配管スペースが設けられるとともに、前記第１の背板及び前記第２の背板の前方に収納スペースを有するキャビネット本体と、
前記キャビネット本体の前記一対の側板の間に着脱可能に取り付けられる配管カバーと、
を備え、
前記配管カバーは、前記配管スペースの上方を覆う板状の本体部と、ガイド部と、を有し、
前記ガイド部は、前記本体部の後端よりも後方に延びる底部と、前記底部の上に設けられ前記本体部の後端から離れた位置から前記本体部の上面よりも上方まで延び前記本体部の後端との間に溝部を設ける延設部と、を有し、
前記第１の背板の下端は、前記キャビネット本体に取り付けられた前記配管カバーの前記溝部内に位置し、
前記ガイド部は、前記配管カバーを前記キャビネット本体に取り付ける際に、前記延設部により、前記第１の背板の下端を前記溝部内に誘導可能であることを特徴とするキャビネット。
【請求項２】
前記ガイド部は、前記本体部に固定される固定部をさらに有し、前記本体部とは別体であることを特徴とする請求項１記載のキャビネット。
【請求項３】
前記ガイド部の左右方向の幅は、前記本体部の左右方向の幅よりも小さいことを特徴とする請求項２記載のキャビネット。
【請求項４】
前記延設部の前面は、鉛直面に沿うことを特徴とする請求項１〜３のいずれか１つに記載のキャビネット。
【発明の詳細な説明】
【技術分野】
【０００１】
本発明の態様は、一般的に、キャビネットに関する。
【背景技術】
【０００２】
キッチンキャビネットでは、キャビネット本体内の奥側下部を配管スペースとし、この配管スペースをカバーにより隠蔽する構成が知られている（例えば、特許文献１）。カバーは、配管のメンテナンスのため、取り外し可能となるように構成されていることが求められている。そこで、配管カバーの上面に溝を形成し、配管カバーの上面の溝とキャビネット本体の背板とを嵌合させ、その後ネジなどにより配管カバーを固定することで、配管カバーを所定の位置に設置することが提案されている。
【先行技術文献】
【特許文献】
【０００３】
【特許文献１】特開平１１−１９２１３０号公報
【発明の概要】
【発明が解決しようとする課題】
【０００４】
しかしながら、上述のような構成では、配管カバーに溝が形成されているため、溝が浅く、配管カバーを所定の位置に取り付ける際には、背板が配管カバーの溝に嵌合するよう慎重に配管カバーを所定の位置に取り付ける必要がある。そのため、配管カバーの取り付けに時間がかかってしまう。
【０００５】
本発明は、かかる課題の認識に基づいてなされたものであり、容易に配管カバーを所定の位置に取り付けることができるキャビネットを提供することを目的とする。
【課題を解決するための手段】
【０００６】
第１の発明は、一対の側板と、底板と、下端が前記底板の上面よりも上方に位置する第１の背板と、前記底板の上面に設けられ前記第１の背板よりも前方に位置する第２の背板と、を有し、前記第２の背板の後方に配管スペースが設けられるとともに、前記第１の背板及び前記第２の背板の前方に収納スペースを有するキャビネット本体と、前記キャビネット本体の前記一対の側板の間に着脱可能に取り付けられる配管カバーと、を備え、前記配管カバーは、前記配管スペースの上方を覆う板状の本体部と、ガイド部と、を有し、前記ガイド部は、前記本体部の後端よりも後方に延びる底部と、前記底部の上に設けられ前記本体部の後端から離れた位置から前記本体部の上面よりも上方まで延び前記本体部の後端との間に溝部を設ける延設部と、を有し、前記第１の背板の下端は、前記キャビネット本体に取り付けられた前記配管カバーの前記溝部内に位置し、前記ガイド部は、前記配管カバーを前記キャビネット本体に取り付ける際に、前記延設部により、前記第１の背板の下端を前記溝部内に誘導可能であることを特徴とするキャビネットである。
【０００７】
このキャビネットによれば、第１の背板を溝部内に誘導するガイド部が配管カバーに設けられており、ガイド部の延設部は本体部の上面よりも上方まで延びている。このため、配管カバーをキャビネット本体の所定の位置に取り付ける際には、第１の背板を延設部に当接させることで、第１の背板を溝部内に容易に誘導することができる。これにより、溝部内に第１の背板が嵌合するよう慎重に配管カバーを扱わなくても、第１の背板を容易に溝部内に嵌合させることができる。よって、容易に配管カバーを所定の位置に取り付けることができる。
【０００８】
第２の発明は、第１の発明において、前記ガイド部は、前記本体部に固定される固定部をさらに有し、前記本体部とは別体であることを特徴とするキャビネットである。
【０００９】
このキャビネットによれば、ガイド部が本体部と別体で構成されているため、本体部とガイド部とをそれぞれ別々に保管することができる。
【００１０】
第３の発明は、第２の発明において、前記ガイド部の左右方向の幅は、前記本体部の左右方向の幅よりも小さいことを特徴とするキャビネットである。
【００１１】
このキャビネットによれば、ガイド部の左右方向の幅は、本体部の左右方向の幅よりも小さいため、本体部の左右方向の幅が異なる場合であっても、共通のガイド部を使用することができる。
【００１２】
第４の発明は、第１〜第３のいずれか１つの発明において、前記延設部の前面は、鉛直面に沿うことを特徴とするキャビネットである。
【００１３】
このキャビネットによれば、延設部の前面が鉛直面に沿うため、スムーズに第１の背板を溝部内に誘導することができるとともに、第１の背板と延設部との隙間を低減することができる。
【発明の効果】
【００１４】
本発明の態様によれば、容易に配管カバーを所定の位置に取り付けることができるキャビネットが提供される。
【図面の簡単な説明】
【００１５】
【図１】実施形態に係るキャビネットを設置したシステムキッチンを模式的に表す斜視図である。
【図２】図２（ａ）及び図２（ｂ）は、実施形態に係るキャビネットを設置する前のシステムキッチンを模式的に表す正面図及び側面図である。
【図３】図３（ａ）及び図３（ｂ）は、実施形態に係るキャビネットを模式的に表す斜視図及び断面図である。
【図４】図４（ａ）〜図４（ｃ）は、実施形態に係るキャビネットの配管カバーを模式的に表す斜視図及び断面図である。
【図５】図５（ａ）〜図５（ｄ）は、実施形態に係るキャビネットにおける配管カバーの取り付けを模式的に表す断面図である。
【図６】図６（ａ）〜図６（ｃ）は、実施形態に係るキャビネットの配管カバーの変形例を模式的に表す断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、実施形態に係るキャビネットを設置したシステムキッチンを模式的に表す斜視図である。  
図１に表したシステムキッチン５００は、対面型のシステムキッチンである。システムキッチン５００は、前方側（リビング側）に設けられた３つのキャビネット１００、１０１、及び１０２と、キャビネット１００〜１０２よりも後方側（キャビネット１００〜１０２の裏側）に設けられたカウンタ２００と、を備える。カウンタ２００は、シンク２１０と、水栓２２０と、コンロ２３０と、を備える。
【００１７】
本願明細書においては、キャビネット１００と向き合う使用者からみて手前側を「前方」とし、奥側を「後方」とし、上側を「上方」とし、下側を「下方」とし、右側を「右側方」とし、左側を「左側方」とする。
【００１８】
このようなキャビネット１００〜１０２を設けることで、対面型のシステムキッチンのリビング側に設けられる配管を隠すとともに、リビング側の空間を有効活用することができる。
【００１９】
図２（ａ）及び図２（ｂ）は、実施形態に係るキャビネットを設置する前のシステムキッチンを模式的に表す正面図及び側面図である。  
図２（ａ）は、キャビネットを設置する前のシステムキッチンの正面図である。  
図２（ｂ）は、キャビネットを設置する前のシステムキッチンを右側方側から見た側面図である。
【００２０】
図２（ａ）及び図２（ｂ）に表したように、キャビネット１００〜１０２を設置する前のシステムキッチンでは、キャビネット設置面１５０（キャビネット設置面１５０ａ、１５０ｂ、及び１５０ｃ）が露出している。キャビネット設置面１５０は、キャビネット１００〜１０２を設置した際に、キャビネット１００〜１０２の背面と対向する面である。
【００２１】
キャビネット１００は、裏側にシンク２１０、水栓２２０、及びコンロ２３０のいずれも設けられていないキャビネット設置面１５０ａに設置される。キャビネット１０１は、裏側にシンク２１０及び水栓２２０が設けられているキャビネット設置面１５０ｂに設置される。キャビネット１０２は、裏側にコンロ２３０が設けられているキャビネット設置面１５０ｃに設置される。このように、キャビネット設置面１５０ａ〜１５０ｃのそれぞれに、キャビネット１００〜１０２を設置してもよいし、キャビネット設置面１５０ａ〜１５０ｃのいずれか１つ又は２つにキャビネットを設置してもよい。
【００２２】
システムキッチンのキャビネット設置面１５０側（リビング側）には、例えば、ガス配管１１０、排水管１２０、給水管１３０、及び給湯管１４０などの配管が設けられている。ガス配管１１０は、コンロ２３０が設置されている位置から前方に延び、途中で屈曲し、そこから下方に延びている。排水管１２０、給水管１３０、及び給湯管１４０は、シンク２１０及び水栓２２０から下方に延び、途中で屈曲し、そこから右側方に延びている。このように、システムキッチンのキャビネット設置面１５０側の下部には、配管が通っている。そのため、キャビネット１００〜１０２の奥側下部には、これらの配管を収納するための配管スペースが設けられる。
【００２３】
以下では、実施形態に係るキャビネットの例として、キャビネット１００を挙げて説明するが、キャビネット１０１及び１０２も、キャビネット１００と同様の構成とすることができる。
【００２４】
図３（ａ）及び図３（ｂ）は、実施形態に係るキャビネットを模式的に表す斜視図及び断面図である。  
図３（ａ）は、キャビネットを前方側から見た斜視図である。  
図３（ｂ）は、キャビネットを右側方側から見た断面図である。
【００２５】
図３（ａ）及び図３（ｂ）に表したように、キャビネット１００は、キャビネット本体１０と、配管カバー５０と、を備える。キャビネット本体１０は、一対の側板１１（１１ａ及び１１ｂ）と、底板１２と、第１の背板１３と、第２の背板１４と、を有する。キャビネット１００は、棚板６０と、扉７０と、上板８０と、をさらに備える。第２の背板１４の後方には、配管スペース１５が設けられている。第１の背板１３及び第２の背板１４の前方には、収納スペース１６が設けられている。
【００２６】
一対の側板１１は、キャビネット本体１０の側面に設けられている。一対の側板１１は、水平面に対し略鉛直に設けられている。側板１１ａと側板１１ｂとは、互いに略平行に設けられている。一対の側板１１には、第１の背板１３を差し込むための溝部が形成されていてもよい。一対の側板１１には、配管カバー５０又は棚板６０を支持するダボ等の支持手段、又は、ダボ等を差し込むための穴が設けられていてもよい。
【００２７】
底板１２は、キャビネット本体１０の下部に設けられている。底板１２は、水平面に対し略平行に設けられている。底板１２は、一対の側板１１の間に設けられている。底板１２の前後方向の長さは、例えば、一対の側板１１の前後方向の長さよりも短い。底板１２の前後方向の長さは、例えば、キャビネット本体１０の前面から第１の背板１３の前面までの距離よりも短い。底板１２の前後方向の長さは、例えば、キャビネット本体１０の前面から第２の背板１４の後面までの距離と実質的に同じである。
【００２８】
第１の背板１３は、キャビネット本体１０の背面に設けられている。第１の背板１３は、例えば、裏板である。第１の背板１３は、水平面に対し略鉛直に設けられている。第１の背板１３は、一対の側板１１の間に設けられている。第１の背板１３の下端１３ｂは、底板１２の上面よりも上方に位置する。第１の背板１３の下端１３ｂは、例えば、第２の背板１４の上端よりも上方に位置する。第１の背板１３の上端１３ａは、上板８０に嵌合している。第１の背板１３の下端１３ｂは、キャビネット本体１０に取り付けられた配管カバー５０の一部に嵌合される。第１の背板１３は、キャビネット本体１０の後端（一対の側板１１の後端）よりも前方に設けられている。換言すれば、第１の背板１３とキャビネット設置面１５０との間には、空間が設けられている。例えば、この空間に電源コードなどを収納することができる。
【００２９】
第２の背板１４は、底板１２の上面に設けられている。第２の背板１４は、水平面に対し略鉛直に設けられている。第２の背板１４は、第１の背板１３に対し略平行に設けられている。第２の背板１４は、一対の側板１１の間に設けられている。第２の背板１４は、第１の背板１３よりも前方に位置する。第２の背板１４は、例えば、配管カバー５０を支持する支持板として機能する。第２の背板１４は、キャビネット１００を正面から見たときに配管スペース１５を隠す目隠しとして機能する。
【００３０】
配管カバー５０は、キャビネット本体１０の一対の側板１１の間に着脱可能に取り付けられる。配管カバー５０は、第１の背板１３の下及び第２の背板１４の上に取り付けられる。配管カバー５０は、水平面に対し略平行に取り付けられる。配管カバー５０は、底板１２に対し略平行に取り付けられる。キャビネット本体１０に取り付けられた配管カバー５０は、第１の背板１３の下端１３ｂを支持する。配管カバー５０は、キャビネット１００を上方から見たときに配管スペース１５を隠す目隠しとして機能する。キャビネット本体１０に取り付けられた配管カバー５０は、一対の側板１１に設けられたダボ等の支持手段により支持されていてもよい。配管カバー５０の構造については、後述する。
【００３１】
棚板６０は、配管カバー５０よりも上方に設けられている。棚板６０は、水平面に対し略平行に設けられている。棚板６０は、底板１２に対し略平行に設けられている。棚板６０は、配管カバー５０に対し略平行に設けられている。棚板６０は、一対の側板１１の間に設けられている。棚板６０は、一対の側板１１に設けられたダボ等の支持手段により支持されていてもよい。棚板６０は、必要に応じて設けられ、省略可能である。
【００３２】
扉７０は、キャビネット本体１０の前面に設けられている。扉７０は、水平面に対し略鉛直に設けられている。扉７０は、第１の背板１３に対し略平行に設けられている。扉７０は、第２の背板１４に対し略平行に設けられている。扉７０は、必要に応じて設けられ、省略可能である。
【００３３】
上板８０は、キャビネット本体１０の上部に設けられている。上板８０は、水平面に沿って設けられている。上板８０は、一対の側板１１の間に設けられている。上板８０には、第１の背板１３の上端１３ａを差し込むための溝部が形成されている。上板８０は、必要に応じて設けられ、省略可能である。
【００３４】
一対の側板１１、底板１２、第１の背板１３、第２の背板１４、棚板６０、及び上板８０は、例えば、木製の板である。扉７０は、例えば、木製又はガラス製の板である。これらの部材は、任意の材料で構成されていてもよい。
【００３５】
図４（ａ）〜図４（ｃ）は、実施形態に係るキャビネットの配管カバーを模式的に表す斜視図及び断面図である。  
図４（ａ）は、配管カバーを前方側から見た斜視図である。  
図４（ｂ）は、配管カバーを後方側から見た斜視図である。  
図４（ｃ）は、配管カバーを右側方側から見た断面図である。  
図４（ａ）〜図４（ｃ）に表したように、配管カバー５０は、板状の本体部５１と、ガイド部５２と、を有する。この例では、本体部５１とガイド部５２とは別体で構成されている。
【００３６】
本体部５１は、キャビネット本体１０に取り付けられた配管カバー５０において、配管スペース１５の上方を覆う。本体部５１は、例えば、木製の板である。本体部５１は、任意の材料で構成されていてもよい。
【００３７】
本体部５１の前後方向の長さＤ１は、第１の背板１３の前端から第２の背板１４の前端までの距離と同程度、又は、それよりも長い。このような長さであれば、本体部５１によって配管スペース１５を覆うことができる。また、本体部５１の前後方向の長さは、例えば、第１の背板１３の前端からキャビネット本体１０の前面までの距離と同程度、又は、それよりも短い。このような長さであれば、本体部５１がキャビネット本体１０の前面から飛び出ることを抑制できる。また、例えば、本体部５１の前後方向の長さを、第１の背板１３の前端からキャビネット本体１０の前面までの距離と同程度にすれば、本体部５１を棚板として使用することができる。
【００３８】
ガイド部５２は、本体部５１の後端よりも後方に延びる底部５２ａと、底部５２ａから上方に略鉛直に延びる延設部５２ｂと、本体部５１に固定される固定部５２ｃと、を有する。底部５２ａと、延設部５２ｂと、固定部５２ｃと、は一体で構成されている。ガイド部５２は、例えば、樹脂製のアングルである。ガイド部５２は、任意の材料で構成されていてもよい。
【００３９】
延設部５２ｂは、底部５２ａの上に設けられ、本体部５１の後端から離れた位置から本体部５１の上面よりも上方まで延びている。換言すれば、延設部５２ｂの上端は、本体部５１の上面よりも上方に位置する。延設部５２ｂの上端は、本体部５１の上面よりも、例えば、３ｍｍ以上２０ｍｍ以下程度上方に位置している。延設部５２ｂの前面は、鉛直面に沿う。鉛直面に沿うとは、例えば、延設部５２ｂの前面と鉛直面とがなす角度（劣角）が、０°±１０°となることを意味する。本体部５１の後端と延設部５２ｂとの間（底部５２ａの上方）には、第１の背板１３の下端１３ｂを差し込む溝部５３が設けられている。
【００４０】
このような延設部５２ｂにより、配管カバー５０をキャビネット本体１０に取り付ける際に、第１の背板１３の下端１３ｂを溝部５３内に誘導することができる。配管カバー５０のキャビネット本体１０への取り付けについては、後述する。
【００４１】
固定部５２ｃは、本体部５１の後端よりも前方に延びている。固定部５２ｃは、例えば、ネジ止めなどにより本体部５１の底面に固定されている。
【００４２】
ガイド部５２の左右方向の幅Ｗ２は、本体部５１の左右方向の幅Ｗ１よりも小さい。この例では、ガイド部５２が３つ設けられている。このように、配管カバー５０に設けられるガイド部５２の数は、任意の数とすることができる。例えば、ガイド部５２の幅Ｗ２を一定にして、本体部５１の幅Ｗ１に応じて、設けるガイド部５２の数を決めてもよい。このようにすれば、様々な幅の配管カバー５０に容易に対応することができる。
【００４３】
本体部５１の幅Ｗ１は、一対の側板１１の間の距離と同程度、又は、それよりも短い。裏側にコンロ２３０が設けられているキャビネット設置面１５０ｃに設けるキャビネット１０２では、ガス配管１１０を避けるように、本体部５１の幅Ｗ１を短くしてもよい。あるいは、ガス配管１１０を避けるように、本体部５１の一部を切り欠いてもよい。
【００４４】
図５（ａ）〜図５（ｄ）は、実施形態に係るキャビネットにおける配管カバーの取り付けを模式的に表す断面図である。  
図５（ａ）は、第１の背板及び配管カバーを取り付ける前のキャビネットを右側方側から見た断面図である。  
図５（ｂ）は、配管カバーを取り付ける前のキャビネットを右側方側から見た断面図である。  
図５（ｃ）は、配管カバーを取り付ける際のキャビネットを右側方側から見た断面図である。  
図５（ｄ）は、配管カバーを取り付けた後のキャビネットを右側方側から見た断面図である。
【００４５】
配管カバー５０をキャビネット本体１０に取り付ける際には、まず、図５（ａ）及び図５（ｂ）に表したように、第１の背板１３及び配管カバー５０を取り付ける前のキャビネットに対し、第１の背板１３を取り付ける。より具体的には、第１の背板１３の上端１３ａを、上板８０の溝部に嵌合させる。このとき、一対の側板１１にも溝部が形成されている場合には、第１の背板１３の両側端を一対の側板１１の溝部に嵌合させる。
【００４６】
次に、図５（ｃ）に表したように、配管カバー５０の本体部５１側（前方側）が上、ガイド部５２側（後方側）が下になるように、配管カバー５０を斜めにし、配管カバー５０のガイド部５２の延設部５２ｂの前面（本体部５１側の面）を、第１の背板１３の下端１３ｂに当接させる。
【００４７】
そして、図５（ｄ）に表したように、本体部５１が水平面に対して略平行となる位置まで、配管カバー５０の本体部５１側（前方側）を下げる。このとき、第１の背板１３の下端１３ｂは、当接している延設部５２ｂの前面に沿って、延設部５２ｂと本体部５１との間の溝部５３内まで誘導される。配管カバー５０の取り付け後には、第１の背板１３の下端１３ｂは、溝部５３内に位置する。配管カバー５０の取り付け後に、配管カバー５０をネジ止めしてもよい。
【００４８】
このように、実施形態によれば、配管カバー５０を所定の位置に取り付ける際に、第１の背板１３の下端１３ｂを、ガイド部５２の延設部５２ｂに当接させることで、溝部５３内に容易に誘導することができる。これにより、溝部５３内に第１の背板１３が嵌合するよう慎重に配管カバー５０を扱わなくても、第１の背板１３を容易に溝部５３内に嵌合させることができる。よって、容易に配管カバー５０を所定の位置に取り付けることができる。
【００４９】
図６（ａ）〜図６（ｃ）は、実施形態に係るキャビネットの配管カバーの変形例を模式的に表す断面図である。  
図６（ａ）に表したように、この例では、配管カバー５０において、本体部５１とガイド部５２とが別体で構成されている。ガイド部５２は、底部５２ａと、延設部５２ｂと、固定部５２ｃと、を有する。この例では、延設部５２ｂは、上方に延びるとともに、前方に傾いている。延設部５２ｂが前方に傾いていることで、延設部５２ｂにより、第１の背板１３を本体部５１側（前方側）に向かって押さえつけることができる。これにより、配管カバー５０をキャビネット本体１０に取り付けた後、延設部５２ｂにより、第１の背板１３をより確実に固定することができる。このように、延設部５２ｂは、前方に傾いていてもよい。
【００５０】
図６（ｂ）に表したように、この例では、配管カバー５０において、本体部５１とガイド部５２とが別体で構成されている。ガイド部５２は、底部５２ａと、延設部５２ｂと、固定部５２ｃと、を有する。この例では、固定部５２ｃが、本体部５１の後端に沿って上方に延び本体部５１の後端面で本体部５１に固定されている。このように、本体部５１とガイド部５２との固定位置は、本体部５１の底面以外（例えば後端）であってもよい。
【００５１】
図６（ｃ）に表したように、この例では、配管カバー５０において、本体部５１とガイド部５２とが一体で構成されている。ガイド部５２は、底部５２ａと、延設部５２ｂと、を有する。このように、本体部５１とガイド部５２とが一体で構成されていてもよい。
【００５２】
これらの変形例においても、配管カバー５０をキャビネット本体１０に取り付ける際には、延設部５２ｂにより、溝部５３内に第１の背板１３の下端１３ｂを誘導することができる。従って、容易に配管カバー５０を所定の位置に取り付けることができる。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１０ キャビネット本体、  １１、１１ａ、１１ｂ 側板、  １２ 底板、  １３ 第１の背板、  １３ａ 上端、  １３ｂ 下端、  １４ 第２の背板、  １５ 配管スペース、  １６ 収納スペース、  ５０ 配管カバー、  ５１ 本体部、  ５２ ガイド部、  ５２ａ 底部、  ５２ｂ 延設部、  ５２ｃ 固定部、  ５３ 溝部、  ６０ 棚板、  ７０ 扉、  ８０ 上板、  １００、１０１、１０２ キャビネット、  １１０ ガス配管、  １２０ 排水管、  １３０ 給水管、  １４０ 給湯管、  １５０ キャビネット配設面、  ２００ カウンタ、  ２１０ シンク、  ２２０ 水栓、  ２３０ コンロ、  ５００ システムキッチン
【図１】
2019126517.tif 000003
【図２】
2019126517.tif 000004
【図３】
2019126517.tif 000005
【図４】
2019126517.tif 000006
【図５】
2019126517.tif 000007
【図６】
2019126517.tif 000008